(57)【要約】【課題】防犯モードに設定された際に、ブザーを鳴動させるとともに、録音処理やメール送信処理等の防犯処理が、外部に隠蔽されつつ行われる携帯電話機を提供する。【解決手段】防犯モードを起動する防犯モード起動手段（Ｓ１０３）と、防犯モードが起動した際に、所定時間、ブザーを鳴動させるブザー鳴動手段（Ｓ１０７）と、防犯モードが起動した際に、周囲の音を録音する録音手段と、前記録音手段により録音された録音データを送信する送信手段（Ｓ１１９）と、前記録音手段による録音処理及び送信手段による送信処理に関連する表示処理を禁止する禁止手段（Ｓ１２０）と、を備えた。【選択図】  図７
2008193250.tif 000002
【特許請求の範囲】
【請求項１】
防犯モードを起動する防犯モード起動手段と、
防犯モードが起動した際に、所定時間、ブザーを鳴動させるブザー鳴動手段と、
防犯モードが起動した際に、周囲の音を録音する録音手段と、
前記録音手段により録音された録音データを送信する送信手段と、
前記録音手段による録音処理及び送信手段による送信処理に関連する表示処理を禁止する禁止手段と、
を備えたことを特徴とする携帯電話機。
【請求項２】
前記ブザー鳴動手段はブザーを間欠鳴動させるとともに、前記録音手段は、前記ブザー鳴動手段によるブザーが停止している間に録音処理を行うように構成した請求項１記載の携帯電話機。
【請求項３】
前記録音手段による録音処理または前記送信手段による送信処理がされたことに基づいて、この録音処理または送信処理がされた日時または位置を示すログ情報を記憶するログ記憶手段を備えた請求項１記載の携帯電話機。
【請求項４】
防犯モードを起動する防犯モード起動手段と、
防犯モードが起動した際に、所定時間、ブザーを鳴動させるブザー鳴動手段と、
防犯モードが起動した際に、周囲の画像を撮影する撮像手段と、
前記撮像手段により撮影された画像データを送信する送信手段と、
前記撮像手段による撮影処理及び送信手段による送信処理に関連する表示処理を禁止する禁止手段と、
を備えたことを特徴とする携帯電話機。
【請求項５】
前記撮像手段による撮影処理または前記送信手段による送信処理がされたことに基づいて、この撮影処理または送信処理がされた日時または位置を示すログ情報を記憶するログ記憶手段を備えた請求項４記載の携帯電話機。
【請求項６】
前記ログ記憶手段により記憶されたログ情報を所定の送信先に送信するログ送信手段を備えた請求項３または５記載の携帯電話機。
【請求項７】
防犯モードが起動した際に、電力供給源を、第１の電力供給源から予備的な第２の電力供給源に切り替える電源切替手段を備えた請求項１または４記載の携帯電話機。
【請求項８】
第１の電力供給源の電源が切られたか否かを判断する電源判断手段を備え、
前記ブザー鳴動手段は、前記電源判断手段により電源が切られたと判断された際に、ブザーの鳴動を停止し、
前記禁止手段は、前記電源判断手段により電源が切られたと判断された際に、全ての表示処理及び音声出力処理を禁止する請求項７記載の携帯電話機。
【発明の詳細な説明】
【技術分野】
【０００１】
本発明は、防犯機能が起動した際に、ブザーを鳴動し、所定時間毎に録音処理や撮像処理、メール送信処理を行うとともに、これらの録音処理等の処理が行われていることを外部に隠蔽する携帯電話機に関する。
【背景技術】
【０００２】
近年、携帯電話機が急速に普及し、ユーザが携帯電話機を常時携帯するようになったのに伴い、携帯電話機は、音声通話やメールの送受信を行うために利用されるのみでなく、緊急時に簡単な操作で親や警察署等へ危険を知らせる防犯グッズとしても利用されるようになった。
【０００３】
例えば、緊急時に位置データを取得するとともに録音処理を行い、これらの位置データと録音データとを関連付けて記憶するとともに、これらの位置データと録音データとをユーザの指示に基づいて遠隔地の記憶装置に送信する携帯端末が提案されている（特許文献１参照）。
【特許文献１】特開２００３−２４９９８１号公報
【発明の開示】
【発明が解決しようとする課題】
【０００４】
携帯電話機において防犯モードが設定された際に、この携帯電話機において防犯処理が行われていることが外部に知られてしまうと、電源が切られたりバッテリパック等の電力供給源が抜かれたりして、適切な防犯処理が行われない恐れがある。
【０００５】
本発明は、上記課題を鑑みなされたものであり、防犯モードに設定された際に、録音処理や撮像処理、メール送信処理等の防犯処理が、外部に隠蔽されつつ行われる携帯電話機を提供することを目的とする。
【０００６】
また、防犯モードに設定された際に、バッテリパックが抜かれること等により電力供給源が使用できなくなった場合であっても防犯処理が行われる携帯電話機を提供することを目的とする。
【課題を解決するための手段】
【０００７】
上記課題を解決するために、本発明に係る携帯電話機は、防犯モードを起動する防犯モード起動手段と、防犯モードが起動した際に、所定時間、ブザーを鳴動させるブザー鳴動手段と、防犯モードが起動した際に、周囲の音を録音する録音手段と、前記録音手段により録音された録音データを送信する送信手段と、前記録音手段による録音処理及び送信手段による送信処理に関連する表示処理を禁止する禁止手段と、を備えたことを特徴とする。
【発明の効果】
【０００８】
本発明に係る携帯電話機によると、防犯モードに設定された際に、録音処理やメール送信処理等の防犯処理を、外部に隠蔽しながら行うことが可能である。
【０００９】
また、本発明に係る携帯電話機によると、防犯モードが設定された場合に、バッテリパックが抜かれる等により電力供給源が使用できなくなったとしても、予備の電力供給源により防犯処理を行うことが可能である。
【発明を実施するための最良の形態】
【００１０】
本発明に係る携帯電話機の実施形態について、添付図面を参照しながら説明する。
【００１１】
図１及び図２に、携帯電話機１の一例として説明に用いている折り畳み型の携帯電話機の外観図を示す。図１［Ａ］は、携帯電話機１の約１８０度に見開いた状態の正面図であり、図１［Ｂ］は、携帯電話機１の見開いた状態の側面図である。また、図２［Ａ］は、携帯電話機１の折り畳んだ状態の正面図であり、図２［Ｂ］は、携帯電話機１の折り畳んだ状態の側面図である。
【００１２】
図１及び図２に示すように、携帯電話機１は、中央のヒンジ部２１を挟むように第１の筐体２２と第２の筐体２３とがヒンジ結合されており、ヒンジ部２１を介して図１及び図２のＸ方向に折り畳み可能に形成される。携帯電話機１の内部の所定の位置には、送受信用のアンテナ（後述する図３のアンテナ５７）が設けられており、内蔵されたアンテナ５７を介して基地局（図示せず）との間で電波を送受信する。
【００１３】
第１の筐体２２の中央部には、メインディスプレイ２５が設けられている。このメインディスプレイ２５には、例えば、現在のアンテナ５７の感度のレベルを示すアンテナピクト、携帯電話機１の現在の電池残量を示す電池ピクト、現在の時刻等が表示される。
【００１４】
また、メインディスプレイ２５の上部の所定の位置にはスピーカ２８が設けられており、これにより、ユーザが音声を聞くことが可能となる。
【００１５】
第１の筐体２２には、その表面に「０」から「９」までの数字キー、発呼キー、リダイヤルキー、終話・電源キー、クリアキー、及び電子メールキー等の操作キー２４が設けられており、ユーザはこれらの操作キー２４を用いて各種指示を入力することができる。
【００１６】
第１の筐体２２には、操作キー２４として上部に十字キーと確定キーが設けられており、ユーザが十字キーを上下左右方向に操作することにより当てられたカーソルを上下左右方向に移動させることができる。具体的には、第２の筐体２３に設けられたメインディスプレイ２５に表示されている電話帳リストや電子メールのスクロール動作、簡易ホームページのページ捲り動作および画像の送り動作などの種々の動作を実行する。
【００１７】
また、確定キーを押下することにより、種々の機能を確定することができる。例えば第１の筐体２２は、ユーザによる十字キーの操作に応じてメインディスプレイ２５に表示された電話帳リストの複数の電話番号の中から所望の電話番号が選択され、確定キーが第１の筐体２２の内部方向に押圧されると、選択された電話番号を確定して電話番号に対して発呼処理を行う。
【００１８】
さらに、第１の筐体２２には、十字キーと確定キーの左隣に電子メールキーが設けられており、電子メールキーが第１の筐体２２の内部方向に押圧されると、メールの送受信機能を呼び出すことができる。十字キーと確定キーの右隣には、ブラウザキーが設けられており、ブラウザキーが第１の筐体２２の内部方向に押圧されると、Ｗｅｂページのデータを閲覧することが可能となる。なお、十字キーと確定キーの左右隣に設けられた電子メールキーおよびブラウザキーは、メインディスプレイ２５に表示される画面により例えば「Ｙｅｓ」や「Ｎｏ」等の種々の機能をもつことが可能であるため、それぞれ、ソフト１キー及びソフト２キーと呼ばれる。
【００１９】
また、第１の筐体２２には、操作キー２４の下部にマイクロフォン２６が設けられており、マイクロフォン２６によって通話時のユーザの音声を集音する。また、第１の筐体２２には、携帯電話機１の操作を行うサイドキー２７が設けられている。
【００２０】
なお、第１の筐体２２は、背面側にバッテリパック（図示せず）が挿着されており、終話・電源キーがオン状態になると、バッテリパックから各回路部に対して電力が供給されて動作可能な状態に起動する。
【００２１】
ところで、第１の筐体２２には、第１の筐体２２の下部の所定の位置に抜差自在なメモリカードを挿着するためのメモリカードスロット（図示せず）が設けられており、メモボタン（図示せず）が押下されるとメモリカード５８に通話中の相手の音声を記録したり、ユーザの操作に応じて電子メール、簡易ホームページ、ＣＣＤカメラ３０で撮像した画像を記録したりすることができる。
【００２２】
ここで、メモリカード５８は、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。携帯電話機１は、このようなメモリカードを挿着可能に構成されているために、メモリカード５８を介して他の電子機器との間でデータの共有化を図ることができる。
【００２３】
また、第１の筐体２２と第２の筐体２３の内部の所定の位置には、携帯電話機１の開閉状態を検知するための磁気センサ２９ａ、２９ｂ、２９ｃ、２９ｄが設けられている。
【００２４】
第１の筐体２２にはＣＣＤカメラ３０が設けられており、これにより、ユーザが所望の撮影対象を撮像することが可能となる。
【００２５】
ＣＣＤカメラ３０の下部には、サブディスプレイ３１が設けられており、現在のアンテナ５７の感度のレベルを示すアンテナピクト、携帯電話機１の現在の電池残量を示す電池ピクト、現在の時刻などが表示される。
【００２６】
また、第１の筐体２２のヒンジ部２１付近に、防犯キー３３が着脱自在に装着される防犯キーガイド部３３ａが設けられている。例えば、防犯キーガイド部３３ａが第１の筐体２２の側面において凹状に形成され、防犯キー３３が、この凹状の防犯キーガイド部３３ａの形状に合致するように凸状に形成されている。また、防犯キー３３には、ユーザが防犯キーガイド部３３ａに対して着脱するための取っ手の役割を果たすストラップ３３ｂが設けられている。
【００２７】
図３は、携帯電話機１の機能構成図である。携帯電話機１は、図３に示すように、主制御部４１、記憶部４２、電源回路部４３、第２電源回路部４３ａ、操作入力制御４４、ＬＣＤ制御部４５、カメラインターフェース４６、画像エンコーダ４７、音声コーディック４８、変復調回路部４９、多重化分離部５０、画像デコーダ５１、無線ＬＡＮモジュール５２、記録再生部５３、ＧＰＳ受信部５４、防犯制御部５５、ブザー鳴動部５９がバスＢによって相互に接続されて構成される。
【００２８】
主制御部４１は、様々なデータ処理や演算を行うＣＰＵ（Ｃｅｎｔｒａｌ  Ｐｒｏｃｅｓｓｉｎｇ  Ｕｎｉｔ）からなる。記憶部４２は、主制御部４１が行う処理プログラム等を格納するＲＯＭ（Ｒｅａｄ  Ｏｎｌｙ  Ｍｅｍｏｒｙ）やハードディスク等の磁気的な記憶装置、主制御部４１が処理を行う際に使用するデータを一時的に記憶するＲＡＭ（Ｒａｎｄｏｍ  Ａｃｃｅｓｓ  Ｍｅｍｏｒｙ）等の電気的な記憶装置とからなる。また、主制御部４１には、現在の日付と時刻を計測するタイマが内蔵されている。
【００２９】
電源回路部４３は、ユーザの操作キー２４による入力により電源のオン／オフ状態を切り替え、電源がオン状態の場合には電力供給源（バッテリパック等）から各部に対して電力を供給して、携帯電話機１を動作可能にする。
【００３０】
電源回路部４３ａは、電源回路部４３においてバッテリパックの電池が切れたりバッテリパックが抜き取られたりすることにより電力供給源が使用できなくなった場合に、予備的な電力供給源（バッテリパック等）を用いて携帯電話機１の各部に対して電力を供給する。
【００３１】
操作入力制御部４４は、操作キー２４によって入力されたデータを主制御部４１に伝送する。
【００３２】
ＬＣＤ制御部４５は、主制御部４１の制御に基づいて、画像データをメインディスプレイ２５またはサブディスプレイ３１に表示する処理を行う。
【００３３】
カメラインターフェース４６は、ＣＣＤカメラ３０で撮影した画像信号をＬＣＤ制御部４５を介してメインディスプレイ２５またはサブディスプレイ３１に表示する。
【００３４】
画像エンコーダ４７は、主制御部４１の制御に基づいて、ＣＣＤカメラ３０が入力した画像信号を、例えばＭＰＥＧ−４（Ｍｏｖｉｎｇ  Ｐｉｃｔｕｒｅ  Ｅｘｐｅｒｔｓ  Ｇｒｏｕｐ−４）等の所定の符号化方式によって圧縮符号化して画像データを作成したり、符号化された画像データを他の符号化方式に変換して新たな画像データを作成したりする。ＣＣＤカメラ３０が入力した画像信号からこの画像データを作成する処理のうちの、静止画像を撮影する処理を静止画像撮影処理であり、動画像を撮影する処理が動画像撮影処理である。
【００３５】
音声コーディック４８は、主制御部４１の制御に基づいて、マイクロフォン２６で集音した音声からディジタル音声信号を生成する。変復調回路部４９は、音声通話の際に、音声コーディック４８からディジタル音声信号を入力して、送受信回路部５６に伝送する。送受信回路部５６はこのディジタル音声信号をアンテナ５７を介して送信する。
【００３６】
また、変復調回路部４９は、送受信回路部４６がアンテナ５７を介して受信したディジタル音声信号を入力する。音声コーディック４８は、音声通話の際に、このディジタル音声信号を取得してアナログ音声信号に変換し、スピーカ２８から音声として出力する。
【００３７】
音声コーディック４８が、マイクロフォン２６で集音した音声から生成したディジタル信号を記憶部４２または第２記憶部５５に記憶する処理が、録音処理である。
【００３８】
多重化分離部５０は、複数の信号を重ねて多重化信号を生成する多重化処理、及び、多重化信号を複数の信号に分離する分離処理を行う。
【００３９】
例えば、多重化分離部５０は、変復調回路部４９から入力した多重化動画像信号を、符号化画像信号と音声信号とに分け、メインバスＢを介して符号化画像信号を画像デコーダ５１に伝送するとともに、音声信号を音声コーディックに伝送する。
【００４０】
また、多重化分離部５０は、画像エンコーダ４７から入力した画像信号と音声コーディックから入力した音声信号とを所定の方式で多重化し、その結果得られる多重化信号を、変復調回路部４９に伝送する。
【００４１】
画像デコーダ５１は、送受信回路部５６から符号化画像信号を入力し、この符号化画像信号を所定の符号化方式に対応した復号化方式で復号することにより再生動画像信号を生成し、生成された再生動画像信号をＬＣＤ制御部４５に伝送する。ＬＣＤ制御部４５は、この生成動画信号をメインディスプレイ２５またはサブディスプレイ３１に表示する。
【００４２】
無線ＬＡＮモジュール５２は、内蔵されたアンテナ（図示せず）を介して、ＩＥＥＥ８０２．１１ａ／ｂ／ｇ等の所定の規格に準拠した無線ＬＡＮ通信を行う。
【００４３】
記録再生部５３は、メモリカード５８等の外部メモリに対するインタフェースを備え、このメモリカード５８等に対して書き込み処理や読み込み処理を行う。
【００４４】
ＧＰＳ制御部５４は、ＧＰＳ放送局（図示せず）からＧＰＳ情報を受信して、主制御部４１または記憶部４２に伝送する。
【００４５】
防犯制御部５５は、防犯キー３３の防犯キーガイド部３３ａに対する着脱を検知し、防犯キー３３が防犯キーガイド部３３ａから外された（抜かれた）場合に、主制御部４１に防犯処理を開始させるための信号を送信する。この信号を受信した主制御部４１は、防犯機能を起動させる。
【００４６】
また、一旦抜かれた防犯キー３３が再び防犯キーガイド部３３ａに装着された際に、主制御部４１に対して防犯機能を終了させるための信号を送信する。主制御部４１は、この信号を受信すると、ユーザに特定の処理を行うよう指示を出し、この特定の処理が行われた場合に、防犯機能を終了させる。なお、特定の処理は、操作キー２４を介したパスワードの入力処理や、所定のアプリケーションプログラムを実行するＰＣ（Ｐｅｒｓｏｎａｌ  Ｃｏｍｐｕｔｅｒ）等の外部装置からの遠隔処理等である。
【００４７】
ブザー鳴動部５９は、主制御部４１からの指示に基づいて、ブザー音を鳴動させたり停止させたりする。
【００４８】
主制御部４１は、電子メール等のデータを送信する場合、操作キー２４の操作によって入力された電子メールのテキストデータを操作入力制御部４４を介して主制御部４１に創出する。主制御部４１は、テキストデータを変復調回路部４９でスペクトラム拡散処理し、送受信回路部５６でディジタルアナログ変換処理及び周波数変換処理を施した後にアンテナ５７を介して送信する。これがメール送信処理である。
【００４９】
また、主制御部４１は、電子メール等のデータを受信する場合、アンテナ５７を介して受信した受信信号を変復調回路部４９でスペクトラム逆拡散処理して元のテキストデータを復元した後、ＬＣＤ制御部４５を介してメインディスプレイ２５またはサブディスプレイ３１にこのテキストデータを受信メールとして表示する。その後、主制御部４１は、ユーザの操作に応じて受信メールを記憶部４２に記録する。これがメール受信処理である。
【００５０】
さらに、携帯電話機１は防犯機能を備えており、この防犯機能が起動した際に、ブザーを鳴動させるとともに、定期的に周囲の音を録音する録音処理やＣＣＤカメラ３０が向いている方向に対して撮像処理を行い、これらの録音データや画像データを予め設定された送信先に定期的に送信する防犯処理を行う。携帯電話機１の主制御部４１は、防犯キー３３が防犯キーガイド部３３ａから抜かれた場合に、この防犯機能を起動させる。以下、これらの録音データや画像データ等の防犯処理により得られたデータを防犯データと呼ぶ。
【００５１】
なお、主制御部４１が防犯処理を実行するための防犯処理プログラム等の種々の処理プログラムは、記憶部４２に予め記憶されている。また、これらの処理プログラムは、送受信回路部４６を介して受信することにより、記憶部４２にインストールされても良い。さらに、これらの処理プログラムは、メモリカード５８に記録されていたものを、記録再生部５４によって読み出されて記憶部４２にインストールされても良い。
【００５２】
携帯電話機１の記憶部４２には、図４に示すような防犯情報６０が記憶されている。防犯情報６０は、緊急時に録音処理を行うか否かを示す録音機能設定情報６１と、緊急時に静止画像撮影処理を行うか否かを示す静止画像撮影機能設定情報６２と、緊急時に動画像撮影処理を行うか否かを示す動画像撮影機能設定情報６３と、緊急時に音声通話処理を行うか否かを示す音声通話機能設定情報６４と、緊急時の音声通話の送信先の電話番号を示す音声通話送信先情報６５と、緊急時にメール送信処理を行うか否かを示すメール送信機能設定情報６６と、緊急時のメールの送信先のメールアドレスを示すメール送信先情報６７と、を含んでいる。携帯電話機１は、この防犯情報６０として予め記憶されている各設定情報に基づいて、防犯処理を行う。なお、各設定情報において、例えば、それぞれの処理を行う場合は「Ｏｎ」、行わない場合は「Ｏｆｆ」で表されている。
【実施例１】
【００５３】
本発明に係る携帯電話機１の実施例１について説明する。図５は、携帯電話機１において防犯キー３３が抜かれて防犯機能が起動した際に、携帯電話機１が防犯処理を行う手順を示すフローチャートである。
【００５４】
この携帯電話機１による防犯処理の手順を、図５に示すフローチャートに基づいて説明する。なお、例えば「ステップＳ１０１」を「Ｓ１０１」のように、「ステップ」を省略して説明する。
【００５５】
まず、携帯電話機１の主制御部４１は、ユーザにより防犯キー３３が抜かれたか否かを判断する（Ｓ１０１）。防犯キー３３が抜かれていない場合（Ｓ１０１のＮｏ）は、主制御部４１はそのまま待機する。
【００５６】
防犯キー３３が抜かれた場合（Ｓ１０１のＹｅｓ）は、主制御部４１は、通常モードから防犯モードに切り替えることにより、防犯モードに設定する（Ｓ１０３）。また主制御部４１は、電源を切り替える（Ｓ１０５）。すなわち主制御部４１は、電力供給源を、電源回路部４３の電力供給源から第２電源回路部４３ａの電源供給源に切り替える。これは、電源回路部４３の電力供給源が使用できなくなった場合に備えた処理である。
【００５７】
また主制御部４１は、ブザー鳴動部５９に対してブザーを鳴動するように指示を出す。この指示を受けたブザー鳴動部５９は、ブザーを鳴動させる（Ｓ１０７）。
【００５８】
主制御部４１は、電源が切られたか否か、または電源回路部４３の電力供給源が抜かれる等して使用できなくなったか否かを判断する（Ｓ１０９）。電源が切られた、あるいは電力供給源が抜かれた場合（Ｓ１０９のＹｅｓ）には、主制御部４１は、ブザー鳴動部５９に対してブザーを停止させるように指示を出す。この指示を受けたブザー鳴動部５９は、Ｓ１０７で鳴動させたブザーを停止させる（Ｓ１１１）。また主制御部４１は、メインディスプレイ２５及びサブディスプレイ３１における表示処理やスピーカ２８を介した音声出力処理を禁止する（Ｓ１１３）。このＳ１１１とＳ１１３の処理により、主制御部４１は、携帯電話機１の電源が切られていることを模倣し、防犯処理が行われていることを外部から隠蔽する。
【００５９】
主制御部４１は、防犯データ取得処理を行う（Ｓ１１５）。図６は、携帯電話機１によるＳ１１５の防犯データ取得処理の手順を示すフローチャートである。
【００６０】
主制御部４１は、防犯情報６０において、録音機能設定情報６１が「Ｏｎ」になっているか否かを判断する（Ｓ３０１）。録音機能設定情報６１が「Ｏｎ」になっている場合（Ｓ３０１のＹｅｓ）は、主制御部４１は、録音処理を実行する（Ｓ３０３）。また主制御部４１は、メインディスプレイ２５またはサブディスプレイ３１において、Ｓ３０３による録音処理に関連する表示処理を禁止する（Ｓ３０５）。Ｓ３０５の処理は、携帯電話機１により録音処理が行われていることを、外部から隠蔽するための処理である。主制御部４１は、このＳ３０３で録音された録音データを記憶部４２に記憶する（Ｓ３０７）。
【００６１】
録音機能設定情報６１が「Ｏｎ」になっていない場合（Ｓ３０１のＮｏ）またはＳ３０７の処理が終了した場合、主制御部４１は、静止画像撮影機能設定情報６２が「Ｏｎ」になっているか否かを判断する（Ｓ３０９）。静止画像撮影機能設定情報６２が「Ｏｎ」になっている場合（Ｓ３０９のＹｅｓ）は、主制御部４１は、ＣＣＤカメラ３０により、静止画像撮影処理を実行する（Ｓ３１１）。この際、静止画像が連続で複数回撮影しても良い。また主制御部４１は、メインディスプレイ２５またはサブディスプレイ３１において、Ｓ３１１による静止画像撮影処理に関連する表示処理を禁止する（Ｓ３１３）。Ｓ３１３の処理は、携帯電話機１により静止画像撮影処理が行われていることを、外部から隠蔽するための処理である。主制御部４１は、Ｓ３１１で撮影された画像データを記憶部４２に記憶する（Ｓ３１５）。
【００６２】
静止画像撮影機能設定情報６２が「Ｏｎ」になっていない場合（Ｓ３０９のＮｏ）またはＳ３１５の処理が終了した場合は、主制御部４１は、動画像撮影機能設定情報６３が「Ｏｎ」であるか否かを判断する（Ｓ３１７）。動画像撮影機能設定情報６３が「Ｏｎ」である場合（Ｓ３１７のＹｅｓ）は、主制御部４１は、ＣＣＤカメラ３０により、動画像撮影処理を実行する（Ｓ３１９）。また主制御部４１は、メインディスプレイ２５またはサブディスプレイ３１において、Ｓ３１９による動画像撮影処理に関連する表示処理を禁止する（Ｓ３２１）。Ｓ３２１の処理は、携帯電話機１により動画像撮影処理が行われていることを、外部から隠蔽するための処理である。主制御部４１は、Ｓ３１９で撮影された画像データを記憶部４２に記憶する（Ｓ３２３）。
【００６３】
なお、Ｓ３０３、Ｓ３０５、Ｓ３０７の流れ、Ｓ３１１、Ｓ３１３、Ｓ３１５の流れ、及びＳ３１９、Ｓ３２１、Ｓ３２３の流れにおいて、これらの処理の一部または全部を同時に行うように処理をしてもよい。
【００６４】
また、これらの処理（録音機能による録音、静止画像撮影機能による撮影、動画像撮影機能による撮影）に関して、いつどこで何を行ったか（日時情報、位置情報）等のログ情報を作成し、このログ情報を記憶部４２に記憶したり予め定められた所定の送信先にメール送信したりするログ通知処理を行ってもよい。このログ通知処理を外部から隠蔽しつつ行うことにより、ユーザがこれらの処理が行われていることを秘密裏に確認することが可能となる。
【００６５】
これらのＳ３０１からＳ３２３までの処理が防犯データ取得処理であり、Ｓ３０７で記憶された録音データ、及びＳ３１５、Ｓ３２３で記憶された画像データが防犯データである。
【００６６】
主制御部４１は、音声通話機能設定情報６４が「Ｏｎ」であるか否かを判断する（Ｓ１１７）。音声通話機能設定情報６４が「Ｏｎ」である場合（Ｓ１１７のＹｅｓ）は、主制御部４１は、音声通話送信先情報６５として記憶されている電話番号に対して音声発信を行い、音声通話処理を行う（Ｓ１１９）。この際、Ｓ３０７で記憶された録音データや予め緊急時のために録音された録音データが存在する場合には、この録音データが音声として送信されても良い。
【００６７】
また主制御部４１は、メインディスプレイ２５またはサブディスプレイ３１において、Ｓ１１９による音声通話処理に関連する表示処理及び出力処理を禁止する（Ｓ１２０）。Ｓ１２０の処理は、携帯電話機１により音声通話処理が行われていることを、外部から隠蔽するための処理である。主制御部４１は、Ｓ１１９の音声通話処理が行われた時刻等のログ情報を、記憶部４２に記憶する（Ｓ１２１）。
【００６８】
音声通話機能設定情報６４が「Ｏｎ」になっていない場合（Ｓ１１７のＮｏ）またはＳ１２１の処理が終了した場合は、主制御部４１は、メール送信機能設定情報６６が「Ｏｎ」であるか否かを判断する（Ｓ１２３）。メール送信機能設定情報６６が「Ｏｎ」である倍（Ｓ１２３のＹｅｓ）は、主制御部４１は、位置情報を取得する（Ｓ１２５）。この位置情報は、基地局（図示せず）から送受信回路部５６を介して取得しても良いし、ＧＰＳ放送局（図示せず）からＧＰＳ受信部５４を介してＧＰＳ情報を取得して位置情報としても良い。
【００６９】
主制御部４１は、Ｓ１２３で取得した位置情報、及びＳ３１１やＳ３１９で撮影された画像データを添付情報として、メール送信先情報６７として記憶されているメールアドレスに対してメール送信処理を行う（Ｓ１２７）。この際、緊急時のために予めメッセージを記憶部４２に記憶しておき、このメッセージをメールの本文とすると良い。また、音声通話機能設定情報６４が「Ｏｆｆ」である場合や、通話圏外等によりＳ１１９の音声通話処理が行えなかった場合には、Ｓ３０７で記憶された録音データを添付情報に加えると良い。
【００７０】
また主制御部４１は、メインディスプレイ２５またはサブディスプレイ３１において、Ｓ１２５による位置情報取得処理、Ｓ１２７によるメール送信処理に関連する表示処理及び出力処理を禁止する（Ｓ１２８）。Ｓ１２８の処理は、携帯電話機１により音声通話処理が行われていることを、外部から隠蔽するための処理である。主制御部４１は、Ｓ１２７のメール送信処理が行われた時刻や送信内容等のログ情報を、記憶部４２に記憶する（Ｓ１２９）
メール送信機能設定情報６６が「Ｏｎ」になっていない場合（Ｓ１２３のＮｏ）またはＳ１２９の処理が終了した場合は、主制御部４１は、所定時間（例えば５分）が経過したか否かを判断する（Ｓ１３１）。この所定時間はブザーを鳴動させる時間を表しており、記憶部４２に予め記憶されている。
【００７１】
所定時間が経過した場合（Ｓ１３１のＹｅｓ）には、主制御部４１は、ブザー鳴動部５９がブザーを鳴動させているか否かを判断する（Ｓ１３３）。ブザー鳴動部５９がブザーを鳴動させている場合（Ｓ１３３のＹｅｓ）は、主制御部４１は、ブザー鳴動部５９に対してブザーを停止させるように指示を出し、この指示を受けたブザー鳴動部５９はブザーを停止させる（Ｓ１３５）。
【００７２】
主制御部４１は、携帯電話機１が防犯モードに設定されているか否かを判断する（Ｓ１３７）。防犯モードに設定されている場合（Ｓ１３７のＹｅｓ）は、Ｓ１０９に戻り、再びＳ１０９からＳ１３７までの処理を行う。また、ユーザにより防犯モードが解除される等により、防犯モードに設定されていない場合（Ｓ１３７のＮｏ）は、主制御部４１は、防犯処理を終了する。
【００７３】
実施例１では、Ｓ３０３の録音処理、Ｓ３１１の静止画像撮影処理、Ｓ３１９の動画像撮影処理、Ｓ１１９の音声通話処理、Ｓ１２５の位置情報取得処理及びＳ１３７のメール送信処理が行われている際は、メインディスプレイ２５及びサブディスプレイ３１における表示やスピーカ２８を介する出力が一切行われず、これらの処理が行われていることが外部から完全に隠蔽される。
【００７４】
実施例１において、携帯電話機１により防犯モードが起動された際に電力供給源を切り替えて、電源回路部４３ａの予備的なバッテリパック等を用いて防犯処理を行う例について説明したが、これに限らず、電源回路部４３の電力供給源が使用できなくなった際に電力供給源を切り替えても良い。
【００７５】
また、実施例１において、携帯電話機１により防犯処理が行われている最中に、ユーザにより防犯情報６０が書き換えられた際には、書き換えられた防犯情報６０に基づいて防犯処理を継続する。
【００７６】
さらに、実施例１において、Ｓ１２１で記憶された音声通話処理のログ情報やＳ１２９で記憶されたメール送信処理のログ情報は、例えば、ユーザの指示に従い(ユーザの指示に従わずに自動的にでもよい)、予め定められた所定の送信先にメール送信してもよい。また、これらのログ情報は、暗証番号を入力しないと見ることができないようにしてもよい。
【００７７】
本発明に係る携帯電話機１の実施例１によると、防犯モードに設定された場合に、所定時間の間、ブザーを鳴動させて緊急事態である旨を報知するとともに、ブザーの鳴動以外の防犯処理（録音処理や画像撮影処理、音声通話処理、メール送信処理等）を、これらの処理が行われていることを外部に隠蔽しつつ継続することが可能である。
【００７８】
また、本発明に係る携帯電話機１の実施例１によると、防犯モードが設定された場合に、バッテリパックが抜かれる等により電力供給源が使用できなくなったとしても、予備の電力供給源により防犯処理を行うことが可能である。
【００７９】
なお、ステップＳ１０３の処理が防犯モード設定手段であり、ステップＳ１０５処理が電源切替手段であり、ステップＳ１０７の処理がブザー鳴動手段であり、ステップＳ１０９の処理が電源判断手段であり、ステップＳ１１３、Ｓ１２０、Ｓ１２８、Ｓ３０５、Ｓ３１３、Ｓ３２１の処理が禁止手段であり、ステップＳ１１９、Ｓ１２７の処理が送信手段であり、ステップＳ３０３の処理が録音手段であり、ステップＳ３１１、Ｓ３１９の処理が撮像手段である。
【実施例２】
【００８０】
本発明に係る携帯電話機１の実施例２について図７及び図８に基づいて説明する。図７は、携帯電話機１において防犯キー３３が抜かれて防犯機能が起動した際に、携帯電話機１が防犯処理を行う際の手順を示すフローチャートである。図８は、携帯電話機１の実施例２による防犯処理を説明するための図である。
【００８１】
まず、携帯電話機１の主制御部４１は、ユーザにより防犯キー３３が抜かれたか否かを判断する（Ｓ５０１）。防犯キー３３が抜かれていない場合（Ｓ５０１のＮｏ）は、主制御部４１はそのまま待機する。
【００８２】
防犯キー３３が抜かれた場合（Ｓ５０１のＹｅｓ）は、主制御部４１は、通常モードから防犯モードに切り替えることにより、防犯モードに設定する（Ｓ５０３）。また主制御部４１は、ブザー鳴動部５９に対してブザーを鳴動するように指示を出す。この指示を受けたブザー鳴動部５９は、ブザーを鳴動させる（Ｓ５０５）。
【００８３】
主制御部４１は、所定時間ΔＴ１（例えば５秒）が経過したか否かを判断する（Ｓ５０７）。この所定時間ΔＴ１の情報は、記憶部４２に予め記憶されている。所定時間ΔＴ１が経過していない場合（Ｓ５０７のＮｏ）は、主制御部４１は、所定時間ΔＴ１が経過するまで待機する。
【００８４】
所定時間ΔＴ１が経過した場合（Ｓ５０７のＹｅｓ）は、主制御部４１は、ブザーを停止するようにブザー鳴動部５９に指示を出す。この指示を受けたブザー鳴動部５９は、ブザーを停止させる（Ｓ５０９）。また主制御部４１は、周囲の音を録音する録音処理を開始する（Ｓ５１１）。
【００８５】
主制御部４１は、所定時間ΔＴ２（例えば５秒）が経過したか否かを判断する（Ｓ５１３）。この所定時間ΔＴ２の情報は、記憶部４２に予め記憶されている。所定時間ΔＴ２が経過していない場合（Ｓ５１３のＮｏ）は、主制御部４１は、所定時間ΔＴ２が経過するまで待機する。
【００８６】
所定時間ΔＴ２が経過した場合（Ｓ５１３のＹｅｓ）は、主制御部４１は、Ｓ５１１で開始した録音処理を終了する（Ｓ５１５）。
【００８７】
主制御部４１は、携帯電話機１が防犯モードに設定されているか否かを判断する（Ｓ５１７）。携帯電話機１が防犯モードに設定されていない場合（Ｓ５１７のＮｏ）、すなわち、ユーザにより防犯モードが解除される等により防犯モードが解除された場合は、主制御部４１は防犯処理を終了する。
【００８８】
携帯電話機１が防犯モードに設定されている場合（Ｓ５１７のＹｅｓ）は、主制御部４１はＳ５０５に戻り、再びＳ５０５からＳ５１７までの処理を行う。このＳ５０５からＳ５１７までの処理は、携帯電話機１の防犯モードが解除されるまで繰り返し行われる。
【００８９】
この際、図８に示すように、ブザーを鳴動させてから所定時間ΔＴ１経過後に、ブザーを停止するのと同時に録音処理を開始し、録音処理を開始してから所定時間ΔＴ２経過後に、録音処理を終了するのと同時にブザーの鳴動を開始する。再びブザーを鳴動させてから所定時間ΔＴ１経過後に、ブザーを停止するのと同時に録音処理を開始する。このように、携帯電話機１の防犯モードが解除されるまで、ブザーの鳴動と録音処理とが交互に繰り返し行われる。
【００９０】
なお、実施例２として説明した携帯電話機１による防犯処理を、実施例１に適用しても良い。その場合は、Ｓ１０５においてブザー発生部５９はブザーを間欠鳴動させ、Ｓ１０９において主制御部４１はブザーが停止している間に録音処理を行う。
【００９１】
また、ステップＳ５０３の処理が防犯モード設定手段であり、ステップＳ５０５の処理がブザー鳴動処理であり、ステップＳ５１１の処理が録音手段である。
【００９２】
本発明に係る携帯電話機１の実施例２によると、防犯機能が起動された際に、ブザーを間欠鳴動させてブザーの鳴動と録音処理とを交互に行うことにより、録音処理の際にブザーの音で周囲の音が掻き消されることを防止することが可能となる。
【００９３】
なお、本発明に係る携帯電話機１として携帯電話機型の携帯電話機１について説明したいが、これに限らず、ＰＤＡ（Ｐｅｒｓｏｎａｌ  Ｄｉｇｉｔａｌ  Ａｓｓｉｓｔａｎｔ）、パーソナルコンピュータ、その他の情報処理装置にも適用することができる。
【００９４】
また、本発明の実施形態において説明した一連の処理は、ソフトウェアにより実行させることもできるが、ハードウェアにより実行させることもできる。
【００９５】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００９６】
【図１】本発明に係る携帯電話機の外観図。
【図２】本発明に係る携帯電話機の外観図。
【図３】本発明に係る携帯電話機の機能構成図。
【図４】防犯情報のデータ構造を示す図。
【図５】本発明に係る携帯電話機が防犯処理を行う手順を示すフローチャート。
【図６】本発明に係る携帯電話機が防犯データ取得処理を行う手順を示すフローチャート。
【図７】本発明に係る携帯電話機が防犯処理を行う手順を示すフローチャート。
【図８】本発明に係る携帯電話機による防犯処理を説明するための図。
【符号の説明】
【００９７】
１・・・携帯電話機、２１・・・ヒンジ部、２２・・・第１の筐体、２３・・・第２の筐体、２４・・・操作キー、２５・・・メインディスプレイ、２６・・・マイクロフォン、２７・・・サイドキー、２８・・・スピーカ、２９ａ、２９ｂ、２９ｃ、２９ｄ・・・磁気センサ、３０・・・ＣＣＤカメラ、３１・・・サブディスプレイ、３３・・・防犯キー、３３ａ・・・防犯キーガイド部、３３ｂ・・・ストラップ、４１・・・主制御部、４２・・・記憶部、４３・・・電源回路部、４３ａ・・・第２電源回路部、４４・・・操作入力制御部、４５・・・ＬＣＤ制御部、４６・・・カメラインターフェース、４７・・・画像エンコーダ、４８・・・音声コーディック、４９・・・変復調回路部、５０・・・多重化分離部、５１・・・画像デコーダ、５２・・・無線ＬＡＮモジュール、５３・・・記録再生部、５４・・・ＧＰＳ受信部、５５・・・防犯制御部、５６・・・送受信回路部、５７・・・アンテナ、５８・・・メモリカード、５９・・・ブザー鳴動部、Ｂ・・・バス、６０・・・防犯情報、６１・・・録音機能設定情報、６２・・・静止画像撮影機能設定情報、６３・・・動画撮影機能設定情報、６４・・・音声通話機能設定情報、６５・・・音声通話送信先情報、６６・・・メール送信機能設定情報、６７・・・メール送信先情報。
【図１】
2008193250.tif 000003
【図２】
2008193250.tif 000004
【図３】
2008193250.tif 000005
【図４】
2008193250.tif 000006
【図５】
2008193250.tif 000007
【図６】
2008193250.tif 000008
【図７】
2008193250.tif 000009
【図８】
2008193250.tif 000010